(57)【要約】【課題】ブロワ装置に用いるエジェクタを取り外すことなく、エジェクタの風量及び風速を調節可能にする。【解決手段】ブロワ装置１０の送風管３０の先端部に設けたエジェクタ４０は、送風管３０の先端部の外周面を通風可能に覆い、基端部に設けた外気の吸気口４１ｂから負圧吸引した外気を送風管３０から噴出する噴出風とともに先端開口４１ａから噴出させる増風筒部４１を備え、増風筒部４１の吸気口４１ｂを開閉自在に塞ぐ蓋部材４３を設けた。【選択図】図２
2014202114.tif 000002
【特許請求の範囲】
【請求項１】
ブロワ装置の送風管の先端部に設けて、前記送風管から噴出する噴出風を増加させるエジェクタであり、
前記送風管の先端部の外周面を通風可能に覆い、基端部に設けた外気の吸気口から負圧吸引した外気を前記送風管から噴出する噴出風とともに先端開口から噴出させる増風筒部を備え、
前記増風筒部の吸気口を開閉自在に塞ぐ蓋部材を設けたことを特徴とするブロワ装置に用いるエジェクタ。
【請求項２】
請求項１に記載のエジェクタにおいて、
前記増風筒部は軸線方向の両端が開口した筒形状をし、
前記吸気口は前記送風管の先端部と前記増風筒部の基端開口との間に形成されたものであり、
前記蓋部材は前記送風管の先端部の外周面に軸線方向に沿って摺動自在に係合する環形状をし、前記蓋部材を前記増風筒部の後側にて軸線方向に沿って摺動させることにより前記吸気口を開閉させるようにしたことを特徴とするブロワ装置に用いるエジェクタ。
【発明の詳細な説明】
【技術分野】
【０００１】
本発明は、ブロワ装置の送風管の先端部に設けて、送風管から噴出する噴出風を増加させるエジェクタに関する。
【背景技術】
【０００２】
特許文献１にはブロワ装置に用いるエジェクタが開示されている。このブロワ装置に用いるエジェクタは、ブロワ装置の送風管の先端部の外周面に嵌合固定される筒形取付部と、筒形取付部の外周面に放射状に設けた支柱により支持されて送風管の先端部の外周面を通風可能に覆う増風筒部とを備えている。送風管の先端開口から空気を噴出すると、エジェクタの増風筒部内は通過する空気により負圧となり、増風筒部内には基端の吸気口から空気が負圧吸引される。増風筒部の先端開口から噴出する空気は、送風管の先端開口から噴出する空気に、吸気口から負圧吸引した空気が加わり、送風管の先端開口から噴出する空気より風量が増加する。
【先行技術文献】
【特許文献】
【０００３】
【特許文献１】実開昭６３−０５６７２０号公報
【発明の概要】
【発明が解決しようとする課題】
【０００４】
特許文献１の送風管の先端部にエジェクタを取り付けたブロワ装置においては、エジェクタの先端開口から噴出する空気は送風管から噴出する空気の風量と比べて多くなるが、送風管から噴出する空気の風速と比べて低下する。エジェクタを取り付けたブロワ装置を落葉の清掃に用いたときに、エジェクタの先端開口から噴出する空気によって広範囲の乾いた落葉を吹き飛ばすことができる。しかし、エジェクタから噴出する空気の風速は送風管から噴出する空気の風速と比べて低下しているため、地面に張り付いた濡れた落葉を吹き飛ばすことができないことがあった。この場合には、送風管の先端部からエジェクタを取り外し、送風管から風速の速い空気を噴出させることにより地面に張り付いた落葉を吹き飛ばさなければならなかった。ブロワ装置を用いた清掃作業中に、エジェクタの着脱作業をすると、清掃作業を中断しなければならなく、作業効率が悪くなる問題があった。本発明は、エジェクタを取り外すことなく、風量及び風速を調節可能にしたエジェクタを提供することを目的とする。
【課題を解決するための手段】
【０００５】
上記課題を解決するために、本発明は、ブロワ装置の送風管の先端部に設けて、送風管から噴出する噴出風を増加させるエジェクタであり、送風管の先端部の外周面を通風可能に覆い、基端部に設けた外気の吸気口から負圧吸引した外気を送風管から噴出する噴出風とともに先端開口から噴出させる増風筒部を備え、増風筒部の吸気口を開閉自在に塞ぐ蓋部材を設けたことを特徴とするブロワ装置に用いるエジェクタを提供するものである。
【０００６】
上記のように構成したブロワ装置に用いるエジェクタは、増風筒部の基端部には吸気口を開閉自在に塞ぐ蓋部材を設けたので、吸気口を蓋部材により開閉することでエジェクタの増風筒部から噴出する風量及び風速を変えることができた。
【０００７】
上記のように構成したブロワ装置に用いるエジェクタにおいては、増風筒部は軸線方向の両端が開口した筒形状をし、吸気口は送風管の先端部と増風筒部の基端開口との間に形成されたものであり、蓋部材は送風管の先端部の外周面に軸線方向に沿って摺動自在に係合する環形状をし、蓋部材を増風筒部の後側にて軸線方向に沿って摺動させることにより吸気口を開閉させるようにするのが好ましく、このようにしたときには、蓋部材を送風管の先端部に軸線方向に沿って摺動させるだけで、蓋部材により吸気口を開閉することができ、簡単に吸気口の開閉操作をすることできる。
【図面の簡単な説明】
【０００８】
【図１】本発明のエジェクタを用いた背負式ブロワ装置の斜視図である。
【図２】（ａ）第１実施形態のエジェクタの軸線方向に沿った断面図であり、（ｂ）先端側から見た図である。
【図３】第１実施形態のエジェクタにおいて、増風筒部の吸気口を蓋部材により塞いだときの軸線方向に沿った断面図である。
【図４】（ａ）第２実施形態のエジェクタの軸線方向に沿った断面図であり、（ｂ）先端側から見た図であり、（ｃ）先端側から見た図である。
【図５】第２実施形態のエジェクタにおいて、増風筒部の吸気口を蓋部材により塞いだときの軸線方向に沿った断面図である。
【発明を実施するための最良の形態】
【０００９】
以下、本発明のブロワ装置に用いるエジェクタを背負式ブロワ装置に適用した実施形態により添付図面を参照して説明する。図１に示したように、背負式ブロワ装置１０は、作業者が背負う背負フレーム１１にブロワユニット２０を備えている。背負フレーム１１は垂直に延びて作業者の背中に当たる背当部１１ａと、背当部１１ａの下部から後方に延びる台座部１１ｂとからなるＬ字形をしている。背負フレーム１１の背当部１１ａには作業者が背負うための一対のショルダーストラップ１２，１２が取り付けられている。背負フレーム１１の右側部には送風管３０を支持する支持アーム１３が固定されている。
【００１０】
ブロワユニット２０は、原動機２１により駆動されるファン（図示省略）の回転によって吸引した空気を噴出ダクト２３から噴出するものである。ブロワユニット２０は原動機２１を一体的に組み付けたボリュートケース２２を備えており、ボリュートケース２２内には原動機２１の駆動により回転するファン（図示省略）が収容されている。ボリュートケース２２にはファンによって吸引した空気を噴出する噴出ダクト２３が一体的に設けられており、噴出ダクト２３には送風管３０が連通接続されている。
【００１１】
送風管３０はブロワユニット２０の噴出ダクト２３から噴出する空気を対象物に向けて噴出させるものである。送風管３０は、ブロワユニット２０の噴出ダクト２３に連通接続されたエルボ部３１と、エルボ部３１の先端に連結された可撓性の蛇腹部よりなるフレキシブル部３２と、フレキシブル部３２の先端に連結された真直に延びる真直部３３とからなる。
【００１２】
エルボ部３１の基端部は背負フレーム１１に固定した支持アーム１３に周方向に回動可能に支持されている。真直部３３の基端部には送風管３０を把持するためのグリップ３４が設けられており、グリップ３４にはブロワユニット２０の原動機２１の出力を操作するスロットレバー３５が設けられている。
【００１３】
送風管３０の真直部３３の先端部には送風管３０から噴出する空気を増加させるエジェクタ４０が設けられている。図２に示したように、第１実施形態のエジェクタ４０は、送風管３０の先端部の外周より大きな内周を有し、送風管３０の先端部の外周面を通風可能の覆う増風筒部４１を備えている。増風筒部４１は、送風管３０の先端部の外周面から放射状に延びる３つの支持部４２により送風管３０の先端部に一体的に設けられている。増風筒部４１は軸線方向の両端が開口した円筒形状をし、増風筒部４１の基端開口は送風管３０の先端開口３３ａより後側に配置され、増風筒部４１の先端開口４１ａは送風管３０の先端開口３３ａより前側に配置されている。増風筒部４１の基端開口と送風管３０の先端部との間は増風筒部４１内に外気を導入する吸気口４１ｂとなっている。増風筒部４１の吸気口４１ｂは基端開口と送風管３０の先端部との間により形成されたものであるので、増風筒部４１の周壁に吸気のための窓等の貫通孔を形成したものに比べて加工を少なくできている。
【００１４】
エジェクタ４０は増風筒部４１の吸気口４１ｂを開閉自在に塞ぐ蓋部材４３を備えている。蓋部材４３は環形状をしており、増風筒部４１の後側にて送風管３０の先端部の外周面に軸線方向に沿って摺動自在に係合している。環形状をした蓋部材４３の内周部には軸線方向に延びる短い筒部４３ａが形成されている。この筒部４３ａは蓋部材４３を送風管３０の先端部に対して軸線方向と交差する方向を軸線回りとして傾かないようにし、蓋部材４３を送風管３０の先端部に対して軸線方向に摺動しやすくしている。筒部４３ａには後方に延出したレバー４３ｂが一体的に形成されており、レバー４３ｂを摘んで前後させることで、蓋部材４３は送風管３０の先端部にて軸線方向に移動する。
【００１５】
上記のように構成した背負式ブロワ装置１０の作動を説明する。作業者は、ブロワユニット２０の原動機２１を起動させてから、背負フレーム１１を背負って右手に送風管３０のグリップ３４を把持し、スロットレバー３５を操作しながら送風管３０の先端開口３３ａから空気を噴出させる。
【００１６】
乾いた落葉を吹き飛ばすとき等、風量を多く空気を広範囲に噴出させるときには、図２（ａ）に示したように、エジェクタ４０の蓋部材４３を増風筒部４１から離間させる。増風筒部４１内は送風管３０の先端開口３３ａから噴出する空気が通過するときに負圧となり、増風筒部４１内には基端の吸気口４１ｂから外気が導入される。増風筒部４１の先端開口４１ａから噴出する空気は、送風管３０の先端開口３３ａから噴出した空気に吸気口４１ｂから導入した外気が加わり、送風管３０の先端開口３３ａから噴出する空気より風量が増加する。
【００１７】
これに対し、地面に張り付いた濡れた落葉を吹き飛ばすとき等、風速の速い空気を噴出させるときには、図３に示したように、エジェクタ４０の蓋部材４３を増風筒部４１の基端に密着させ、蓋部材４３により増風筒部４１の吸気口４１ｂを塞ぐ。送風管３０の先端開口３３ａから噴出する空気は増風筒部４１内を通って先端開口４１ａから噴出するが、吸気口４１ｂが蓋部材４３により塞がれているので、増風筒部４１内に外気が導入されない。これにより、増風筒部４１の先端開口４１ａから噴出する空気は送風管３０の先端開口３３ａから噴出する空気と同じ程度の風速となる。
【００１８】
このように、本実施形態のエジェクタ４０は、増風筒部４１の吸気口４１ｂを開閉自在に塞ぐ蓋部材４３を備えたので、吸気口４１ｂを蓋部材４３により開閉することでエジェクタ４０の増風筒部４１から噴出する風量及び風速を変えることができた。特に、蓋部材４３を送風管３０の先端部に軸線方向に沿って摺動させるだけで、蓋部材４３により増風筒部４１の吸気口４１ｂを開閉することができ、簡単に吸気口４１ｂの開閉操作をすることができた。さらに、エジェクタ４０を送風管３０の先端部から取り外さないので、エジェクタ４０の紛失のおそれがなくなった。
【００１９】
次に、第２実施形態のエジェクタについて説明する。図４及び図５に示したエジェクタ４０Ａは、送風管３０の先端部の外周面に嵌合固定した筒形固定部４４Ａと、筒形固定部４４Ａの外周面にて放射状に延出した支持部４２Ａにより支持された増風筒部４１Ａとを備えている。増風筒部４１Ａは送風管３０の先端部の外周より大きな内周を有し、送風管３０の先端部の外周面を通風可能に覆っている。増風筒部４１Ａは軸線方向の両端が開口した円筒形状をし、増風筒部４１Ａの基端開口は送風管３０の先端開口３３ａより後側に配置され、増風筒部４１Ａの先端開口４１Ａａは送風管３０の先端開口３３ａより前側に配置されている。
【００２０】
筒形固定部４４Ａは送風管３０の先端部にて軸線方向に互いに離間して設けた拡径部３３ｂ，３３ｃとの間に嵌合しており、筒形固定部４４Ａは送風管３０の先端部に対して軸線方向の位置調節ができないように固定されている。支持部４２Ａは軸線方向に延びる板形状をし、筒形固定部４４Ａの周方向の等間隔に離間した３カ所から放射状に延出して増風筒部４１Ａを通風可能に支持している。なお、支持部４２Ａは軸線方向の前半部により増風筒部４１Ａを支持し、後半部により後述する蓋部材４３Ａを摺動自在に支持している。筒形固定部４４Ａの軸線方向の中間部には増風筒部４１Ａの直ぐ後側にて先端側に向かうにつれて径が細くなる円錐台形状をした案内部４５Ａが設けられおり、案内部４５Ａは吸気口４１Ａｂから導入する外気を増風筒部４１Ａ内に導きやすくしている。
【００２１】
エジェクタ４０Ａは、増風筒部４１Ａの吸気口４１Ａｂを開閉自在に塞ぐ蓋部材４３Ａを備えている。蓋部材４３Ａは送風管３０の先端部の外周面に軸線方向に沿って摺動自在に係合する環形状部４３Ａａの周部から先端側に延びる周壁部４３Ａｂを有した先端側が開口した円筒形状をしている。蓋部材４３Ａの周壁部４３Ａｂは支持部４２Ａの後半部に摺動自在に係合しており、蓋部材４３Ａは送風管３０の先端部に対して軸線方向と交差する方向を軸線回りとして傾きにくくなっている。
【００２２】
上記のように構成したエジェクタ４０Ａを用いて、乾いた落葉を吹き飛ばすとき等、風量を多く空気を広範囲に噴出させるときには、図４（ａ）に示したように、エジェクタ４０Ａの蓋部材４３Ａを増風筒部４１Ａから離間させる。増風筒部４１Ａ内は送風管３０の先端開口３３ａから噴出する空気が通過するときに負圧となり、増風筒部４１Ａ内には基端の吸気口４１Ａｂから外気が導入される。増風筒部４１Ａの先端開口４１Ａａから噴出する空気は、送風管３０の先端開口３３ａから噴出した空気に吸気口４１Ａｂから導入した外気が加わり、送風管３０の先端開口３３ａから噴出する空気より風量が増加する。
【００２３】
これに対し、地面に張り付いた濡れた落葉を吹き飛ばすとき等、風速の速い空気を噴出させるときには、図５に示したように、エジェクタ４０Ａの蓋部材４３Ａの周壁部４３Ａｂの先端を増風筒部４１Ａの基端に密着させ、蓋部材４３Ａにより増風筒部４１Ａの吸気口４１Ａｂを塞ぐ。送風管３０の先端開口３３ａから噴出する空気は増風筒部４１Ａ内を通って先端開口４１Ａａから噴出するが、吸気口４１Ａｂが蓋部材４３Ａにより塞がれているので、増風筒部４１Ａ内に外気が導入されない。これにより、増風筒部４１Ａの先端開口４１Ａａから噴出する空気は送風管３０の先端開口３３ａから噴出する空気と同じ程度の風速となる。このように、第２実施形態のエジェクタ４０Ａを用いたときにも、第１実施形態のエジェクタ４０と同様の作用効果を得ることができ、詳細について省略する。
【００２４】
上記の実施形態においては、エジェクタは背負式ブロワ装置の送風管の先端部に取り付けたもので説明したが、本発明はこれに限られるものでなく、手持ち式ブロワ装置の送風管の先端部に取り付けたものであってもよい。
【００２５】
上記の実施形態においては、エジェクタ４０，４０Ａは送風管３０の先端部に着脱できないように固定したものであるが、本発明はこれに限られるものでなく、エジェクタ４０，４０Ａを送風管３０の先端部に着脱自在としたものであってもよく、このようにしたときでも同様の作用効果を得ることができる。
【符号の説明】
【００２６】
１０…ブロワ装置（背負式ブロワ装置）、３０…送風管、４０，４０Ａ…エジェクタ、４１，４１Ａ…増風筒部、４１ａ，４１Ａａ…先端開口、４１ｂ，４１Ａｂ…吸気口、４３，４３Ａ…蓋部材。
【図１】
2014202114.tif 000003
【図２】
2014202114.tif 000004
【図３】
2014202114.tif 000005
【図４】
2014202114.tif 000006
【図５】
2014202114.tif 000007